(57)【要約】  【課題】特別な音響的考慮がなされていない室内側への工事を不要としながらも室内全体の残響時間を容易にコントロール可能な什器Ｚを提供する。  【解決手段】特別な音響的考慮がなされていない講義室等の室内で使用されるものであって、電気的音源から放射される音波を略反射する什器本体１と、この什器本体１に着脱可能に設けてなり且つ前記音波を吸音し得る吸音部２とを具備するようにした。【選択図】図１
2006095115.tif 000002
【特許請求の範囲】
【請求項１】
特別な音響的考慮がなされていない講義室等の室内で使用されるものであって、
電気的音源から放射される音波を略反射する什器本体と、この什器本体に着脱可能に設けてなり且つ前記音波を吸音し得る吸音部とを具備することを特徴とする什器。
【請求項２】
前記吸音部における音波が入射する入射面を、
什器本体における、通常の使用状態で使用者が触れ得る領域又は物品を配置可能な領域を避けた領域に、露出させていることを特徴とする請求項１記載の什器。
【請求項３】
前記吸音部における音波が入射する入射面を、
天井面や壁面等の室内側平面と略対向し得る什器本体の面部を覆う位置に設けていることを特徴とする請求項１又は２記載の什器。
【請求項４】
前記吸音部における音波が入射する入射面を、什器本体に対して可変可能に構成していることを特徴とする請求項１、２又は３記載の什器。
【請求項５】
前記什器本体が、複数の支柱を備えるものであって、
前記吸音部が、前記支柱間に弾性係合により着脱可能に挟持されることを特徴とする請求項１、２、３又は４記載の什器。
【請求項６】
前記吸音部が、隣接する支柱にそれぞれ当接する一対の当接部と、当接部の両端側同士を横架する一対の横架部と、これら当接部と横架部とで囲まれる内側の空間に配した吸音材とを具備し、
前記内側の空間と、当接部及び横架部の外側の空間とを少なくとも一部で連通させていることを特徴とする請求項５記載の什器。
【請求項７】
前記支柱が、天板を支持するための脚部であることを特徴とする請求項５又は６記載の什器。
【請求項８】
前記什器本体が、天板の反使用端側から垂下する幕板を備える机型のものであって、
前記吸音部を、前記幕板の反使用端側面の略全面に設けていることを特徴とする請求項１、２、３又は４記載の什器。
【請求項９】
前記吸音部を、天板の下向き面の略全面に設けていることを特徴とする請求項１、２、３、４又は８記載の什器。
【請求項１０】
前記什器本体が、物品を収容可能な収容部を備えるものであって、
前記吸音部を、前記収容部内に設けていることを特徴とする請求項１、２、３、４、８又は９記載の什器。
【請求項１１】
前記什器本体が、使用者が着座する座を支持する脚部を少なくとも備える椅子型のものであって、
前記吸音部を、前記脚部の表面を略覆うように設けていることを特徴とする請求項１、２、３又は４記載の什器。
【請求項１２】
前記什器本体が、着座する使用者の背を支持する背部を少なくとも備える椅子型のものであって、
前記吸音部を、前記背部の反使用端側の表面を略覆うように設けていることを特徴とする請求項１、２、３、４又は１１記載の什器。
【発明の詳細な説明】
【技術分野】
【０００１】
本発明は、特別な音響的考慮がなされていない講義室等の室内で使用される什器に関するものである。
【背景技術】
【０００２】
近年、例えば、大学の大教室においてマイクやスピーカから成るＰＡシステムを利用して講義が行われるほか、パーソナルコンピュータで動画ファイル等を再生するようにした講義なども増えてきている。
【０００３】
なお、上述したような従来技術は、非常に一般的な技術であり、特許文献などとして特別に開示されているものはない。
【発明の開示】
【発明が解決しようとする課題】
【０００４】
しかしながら、このような大教室で使用される机や椅子は、例えば、コンサートホールで使用される椅子のように、観客が着席している場合と着席していない場合とで音の響き具合が大きく異ならないよう、座の裏側に、穿孔板とその内側に吸音材とを配するようにした跳ね上げ式の椅子が用いられる等といった、特別な音響的考慮が成されている訳ではない。しかも、大教室で使用される机や椅子は、音波を略反射するような素材、具体的には金属やプラスチック或いは木材を主としているため、スピーカから放射された音波は、それら椅子や机では吸音されず、部屋全体としての残響時間が長いものになって、スピーカから再生される音声が明瞭度を失い、非常に聞き取り難くなるといった問題点を有している。
【０００５】
また、この種の大教室の天井には、多孔質素材からなる吸音ボードが配されていることが多いが、その薄さ等のため吸音効果はあまり期待できるものでは無く、例えば、厚みを増やして好適な吸音効果を得ようとしても、施工上の問題等によってこれを解決することは実質的に困難である。
【０００６】
本発明は、このような課題に着目してなされたものであって、主たる目的は、特別な音響的考慮がなされていない室内側への工事を不要としながらも室内全体の残響時間を容易にコントロール可能な什器を提供することにある。
【課題を解決するための手段】
【０００７】
すなわち、本発明の什器は、特別な音響的考慮がなされていない講義室等の室内で使用されるものであって、電気的音源から放射される音波を略反射する什器本体と、この什器本体に着脱可能に設けてなり且つ前記音波を吸音し得る吸音部とを具備することを特徴とする。
【０００８】
このようなものであれば、例えば、吸音部を増やせば増やすほど高い吸音効果を得られるので、室内全体の残響時間を短くして、音声等の明瞭度を好適に確保できる。また、この吸音部は、什器本体に対して着脱可能であるので、吸音部の構成を変更などして容易に室内全体の残響時間をコントロールできる上、吸音部に経時変化による劣化等の不具合があてっも容易に交換できる。さらに、室内側への工事も不要であるので、建築時などの費用負担を抑えることができる。
【０００９】
すなわち、特別な音響的考慮がなされていない室内側への工事を不要としながらも室内全体の残響時間を容易にコントロール可能な什器を提供することができる。
【００１０】
前記吸音部における音波が入射する入射面を、什器本体における、通常の使用状態で使用者が触れ得る領域又は物品を配置可能な領域を避けた領域に、露出させているのであれば、吸音部の入射面が、使用者や物品に妨げられないので安定した吸音効果を得られる。
【００１１】
前記吸音部における音波が入射する入射面を、天井面や壁面等の室内側平面と略対向し得る什器本体の面部を覆う位置に設けているのであれば、室内側平面と当該什器の面部との間で発生するフラッターエコーを好適に抑制することができる。
【００１２】
前記吸音部における音波が入射する入射面を、什器本体に対して可変可能に構成すれば、例えば、入射面を音源に対向させることにより、音源からの直接音を効果的に吸音できる。
【００１３】
なお、吸音部の着脱により、吸音効果の調整を容易に行えるようにするには、前記什器本体が、複数の支柱を備えるものであって、前記吸音部が、前記支柱間に弾性係合により着脱可能に挟持されることが望ましい。
【００１４】
吸音材の取替えにより、吸音効果の調整を容易に行えるようにするには、前記吸音部が、隣接する支柱にそれぞれ当接する一対の当接部と、当接部の両端側同士を横架する一対の横架部と、これら当接部と横架部とで囲まれる内側の空間に配した吸音材とを具備し、前記内側の空間と、当接部及び横架部の外側の空間とを少なくとも一部で連通させていることが好ましい。
【００１５】
また、前記支柱としては、この支柱が、天板を支持するための脚部であることが望ましい。
【００１６】
本発明の望ましい態様としては、前記什器本体が、天板の反使用端側から垂下する幕板を備える机型のものであって、前記吸音部を、前記幕板の反使用端側面の略全面に設けているものや、前記吸音部を、天板の下向き面の略全面に設けているものが挙げられる。
【００１７】
さらに、前記什器本体が、物品を収容可能な収容部を備えるものであって、前記吸音部を、前記収容部内に設けるようにしてもよい。
【００１８】
また、本発明の望ましい他の態様としては、前記什器本体が、使用者が着座する座を支持する脚部を少なくとも備える椅子型のものであって、前記吸音部を、前記脚部の表面を略覆うように設けているものや、前記什器本体が、着座する使用者の背を支持する背部を少なくとも備える椅子型のものであって、前記吸音部を、前記背部の反使用端側の表面を略覆うように設けているものが挙げられる。
【発明の効果】
【００１９】
以上説明したように本発明の什器によれば、例えば、吸音部を増やせば増やすほど高い吸音効果を得られるので、室内全体の残響時間を短くして、音声等の明瞭度を好適に確保できる。また、この吸音部は、什器本体に対して着脱可能であるので、吸音部の構成を変更などして容易に室内全体の残響時間をコントロールできる上、吸音部に経時変化による劣化等の不具合があてっも容易に交換できる。さらに、室内側への工事も不要であるので、建築時などの費用負担を抑えることができる。
【００２０】
すなわち、特別な音響的考慮がなされていない室内側への工事を不要としながらも室内全体の残響時間を容易にコントロール可能な什器を提供することができる。
【発明を実施するための最良の形態】
【００２１】
以下、本発明の一実施形態を、図面を参照して説明する。
【００２２】
本発明に係る什器Ｚは、図１に示すように、什器本体１と、この什器本体１に対して着脱可能に取り付けてなる複数の吸音部２（天板１１用の吸音部２ａ、脚部１２用の吸音部２ｂ、幕板１３用の吸音部２ｃ）とを具備してなるものであって、大学の大教室等の室内で使用される。以下、各部を説明する。
【００２３】
什器本体１は、平面視略矩形状の天板１１と、この天板１１の左右の側端部を支持する一対の脚部１２と、前記天板１１の反使用端側から垂下し前記脚部１２間に横架させた幕板１３とを具備するものであって、これら各部をスチール素材の塑性変形加工などにより形成し、ネジ又は溶接などの適宜方法で取り付けてある。なお、脚部１２は、側面視略縦長矩形状の脚支柱１２１と、この脚支柱１２１の下端部から使用端側に向けて延出する脚台１２２とを具備するようにしているが、脚部１２の構成はこれに限られるものではない。
【００２４】
天板１１用の吸音部２ａは、天板１１と略重合する大きさを有する略矩形状のものであって、天板１１の下向き面１１ｓに適宜方法で着脱可能に取り付けられてなる。なお、天板１１用の吸音部２ａの表面２ａ１が、音波が入射する入射面に相当する。
【００２５】
脚部１２用の吸音部２ｂは、脚部１２の脚支柱１２１と略重合する大きさを有する略矩形状のものであって、脚支柱１２１の外向き面と内向き面とに適宜方法で着脱可能に取り付けられてなる。なお、脚部１２用の吸音部２ｂの表面２ｂ１が、音波が入射する入射面に相当する。
【００２６】
幕板１３用の吸音部２ｃは、幕板１３と略重合する大きさを有する略矩形状のものであって、幕板１３の反使用端側面に適宜方法で着脱可能に取り付けられてなる。なお、幕板１３用の吸音部２ｃの表面２ｃ１が、音波が入射する入射面に相当する。
【００２７】
なお、本実施形態では、各吸音部２に、（１）連続気泡のウレタンフォームの表面側に張り地を設けたもの、を共通に採用しているが、例えば、（２）連続気泡のウレタンフォームの表面側にパンチングパネルを設けたものや、（３）多孔質タイプのアルミパネルを採用する等、吸音部２は実施態様に応じて適宜変更可能である。
【００２８】
また、例えば、張り地の通気性の度合いを変更したり、その面重量を変更したり、或いはウレタンフォームの厚みを増したりその表面形状に凹凸を持たせたり、さらにはウレタンフォームに替えて不織布を採用するようにしてもよい。このように吸音材料や吸音構造を変更すれば、吸音部２の吸音特性を好適に変更できるからである。さらに、吸音部２を、閉塞空間の一部を外部に開口させた共鳴器タイプのものとしてもよい。
【００２９】
以下、什器Ｚの使用方法を以下に説明する。
【００３０】
まず、図１（ａ）の状態にある什器本体１に対して、天板１１用の吸音部２ａ、脚部１２用の吸音部２ｂ、幕板１３用の吸音部２ｃを適宜方法で取り付け、図１（ｂ）に示す状態にする。
【００３１】
そして、教室内の室内側平面たる壁面（図示せず）に設けたスピーカＳＰから放射される音波（直接音ｘ１や壁等に反射した間接音ｘ２）が当該什器Ｚに到達すると、幕板１３に設けた幕板１３用の吸音部２ｃがこれを吸音する。このとき、この幕板１３用の吸音部２ｃは周波数特性を有しているので、吸音されなかった音波は反射されるが、この幕板１３用の吸音部２ｃを設けていない場合に比べて、その反射エネルギーは小さくなる。また、天板１１や脚部１２にも天板１１用の吸音部２ａや脚部１２用の吸音部２ｂを設けているので、スピーカＳＰから放射された後、様々な音響パスを経て到達した音波を、これら吸音部２で好適に吸音できる。すなわち、室内全体としての音響エネルギーが減少し、音声等の明瞭度を好適に確保できる。
【００３２】
また、スピーカＳＰを配した壁面と幕板１３との間には、その距離に応じた周波数特性を有するフラッターエコーが発生する場合もあるが、幕板１３の表面１３１には、幕板１３用の吸音部２ｃを設けているので、このフラッターエコーを好適に抑制できる。
【００３３】
このように、本実施形態に係る什器Ｚによれば、天板１１の下向き面１１ｓの略全面に設けた天板１１用の吸音部２ａ、脚支柱１２１の外向き面及び内向き面の略全面に設けた脚部１２用の吸音部２ｂ、幕板１３の反使用端側面１３１の略全面に設けた幕板１３用の吸音部２ｃといった３つの吸音部２により高い吸音効果を得られるので、室内全体の残響時間を短くして、音声等の明瞭度を好適に確保できる。また、この吸音部２は、什器本体１に対して着脱可能であるので、吸音部２の構成を変更などして容易に室内全体の残響時間をコントロールできる上、吸音部２に経時変化による劣化等の不具合があてっも容易に交換できる。さらに、室内側への工事も不要であるので、建築時などの費用負担を抑えることができる。
【００３４】
すなわち、特別な音響的考慮がなされていない室内側への工事を不要としながらも室内全体の残響時間を容易にコントロール可能な什器Ｚを提供することができる。
【００３５】
また、前記吸音部２における音波が入射する入射面を、什器本体１における、通常の使用状態で使用者が触れ得る領域又は物品を配置可能な領域１１ｕを避けた領域に、露出させているので、吸音部２の入射面、２ａ１、２ｂ１、２ｃ１が、使用者や物品に妨げられないので安定した吸音効果を得られる。
【００３６】
また、前記吸音部２における音波が入射する入射面２ｃ１を、壁面と略対向する幕板１３を覆う位置に設けているので、壁面と幕板１３との間で発生するフラッターエコーを好適に抑制することができる。
【００３７】
なお、本発明は、以上に詳述した実施形態に限られるものではない。
【００３８】
例えば、幕板１３用の吸音部２ｃの入射面を、什器本体１に対して可変可能に構成すれば、例えば、入射面を音源に対向させることにより、音源からの直接音を効果的に吸音できる。
【００３９】
さらに、前記吸音部２を、前記什器本体１の物品を収容可能な収容部（図示せず）を利用して設けてもよい。
【００４０】
また、図１（ｂ）に示すように、座３１と、座３１を支持する脚部３２と、座３１に着座した使用者の背を支持する背部３３とを備える椅子型の什器本体３に対して、吸音部４を適用したものが挙げられる。
【００４１】
具体的には、吸音部４を脚部３２の表面を略覆うように設けているものや、背部３３の反使用端側の表面を略覆うように設けているものが挙げられる。なお、背部３３の使用端側の表面の一部又は全部を覆う位置に設けることを妨げない。
【００４２】
さらに、吸音部を、図２に示すように、什器本体１の複数の脚部１２間に弾性係合により着脱可能に挟持され得るように構成して、吸音部の着脱により、吸音効果の調整を容易に行えるようにすることもできる。
【００４３】
具体的には、吸音部５が、隣接する円筒状の脚部１２にそれぞれ当接する断面視部分円弧状の一対の当接部５０１と、当接部５０１の両端側同士を横架する一対の横架部５０２と、これら当接部５０１と横架部５０２とで囲まれる内側の空間に配した吸音材（図示せず）とを具備するように構成するとともに、前記内側の空間２ｋと、当接部５０１及び横架部５０２の外側の空間１ｋとを少なくとも一部で連通するように、例えば、横架部５０２に厚み方向に貫通する複数の孔（図示せず）を形成すればよい。
【００４４】
その他、各部の具体的構成についても上記実施形態に限られるものではなく、本発明の趣旨を逸脱しない範囲で種々変形が可能である。
【図面の簡単な説明】
【００４５】
【図１】本発明の一実施形態に係る什器の全体斜視図。
【図２】本発明の他の実施形態に係る吸音部を示す概略図。
【符号の説明】
【００４６】
１・・・・・什器本体
２・・・・・吸音部
３・・・・・什器本体
４・・・・・吸音部
５・・・・・吸音部
１１・・・・天板
１１ｕ・・・通常の使用状態で使用者が触れ得る領域又は物品を配置可能な領域
１２・・・・脚部
１３・・・・幕板
３１・・・・座
３２・・・・脚部
３３・・・・背部
１３１・・・什器本体１の面部
５０１・・・当接部
５０２・・・横架部
２ａ１・・・入射面
２ｂ１・・・入射面
２ｃ１・・・入射面
２ｋ・・・・内側の空間
１ｋ・・・・外側の空間
ＳＰ・・・・電気的音源（スピーカ）
Ｚ・・・・・什器
【図１】
2006095115.tif 000003
【図２】
2006095115.tif 000004